(57)【要約】【課題】操縦安定性や乗り心地性などのタイヤ走行性能、耐摩耗性などを損なうことなくロードノイズを低減することができる空気入りタイヤを提供する。【解決手段】１対のビードコア５を備えたビード部４と、ビード部４から延びるサイドウォール部３と、前記サイドウォール部３間に設けたトレッド部２とを有し、少なくとも１層のカーカスプライを前記１対のビードコア５及びビードフィラー９の周りを折り返し係止したカーカス６と、少なくとも２層のベルトプライからなるベルト７を配置した空気入りタイヤ１において、前記ビードフィラー９の配置領域内で、タイヤ最大幅位置Ｗとリムフランジ接触位置Ｒの間における前記カーカス６のタイヤ径方向外側のビード部４に、複数の円環状プレート材１１とゴム材とを交互に配して積層した積層構造部材１０を埋設する。【選択図】図２
2008201323.tif 000002
【特許請求の範囲】
【請求項１】
１対のビードコアを備えたビード部と、前記ビード部から各々タイヤ径方向外側に延びるサイドウォール部と、前記サイドウォール部間に設けたトレッド部とを有し、少なくとも１層のカーカスプライを前記１対のビードコア及びビードフィラーの周りをタイヤ内側からタイヤ外側に折り返し係止したカーカスと、該カーカスのトレッド部における外周側に少なくとも２層のベルトプライからなるベルトを配置した空気入りタイヤにおいて、
前記ビードフィラーの配置領域内で、タイヤ最大幅位置とリムフランジ接触位置の間における前記カーカスのタイヤ径方向外側のビード部に、複数の円環状プレート材とゴム材とを交互に配して積層した積層構造部材を埋設した
ことを特徴とする空気入りタイヤ。
【請求項２】
さらに、前記ベルトの両端部外側とタイヤ最大幅位置の間で、前記カーカスのタイヤ径方向外側のバットレス部に、複数の円環状プレート材とゴム材とを交互に配して積層した積層構造部材を埋設した
ことを特徴とする請求項１に記載の空気入りタイヤ。
【請求項３】
前記プレート材の縦弾性係数が１０〜２５，０００ｋｇｆ／ｍｍ２の範囲にある
ことを特徴とする請求項１又は２に記載の空気入りタイヤ。
【請求項４】
前記プレート材のタイヤ径方向の配置角度が、該タイヤ回転軸から接地面に下ろした鉛直線に対して０±２０°の範囲にある
ことを特徴とする請求項１〜３のいずれかに記載の空気入りタイヤ。
【請求項５】
前記カーカスの少なくとも１枚のカーカスプライが前記バットレス部の積層構造部材の位置において該タイヤ周上で分断され、該カーカスプライ分断端部がタイヤ周上で前記円環状プレート材間の間隙に挟持されている
ことを特徴とする請求項２に記載の空気入りタイヤ。
【発明の詳細な説明】
【技術分野】
【０００１】
本発明は、空気入りタイヤに関し、より詳しくは、路面からの振動入力を吸収減衰し、車室内のロードノイズを低減した空気入りタイヤに関する。
【背景技術】
【０００２】
従来、タイヤに基づくロードノイズは、車両走行時の車室内騒音として大きな割合を占めており、路面の凹凸による振動入力がタイヤを振動させ、その振動がホイール、車軸、サスペンション等の車両の懸架系を伝播し車室内で振動騒音として認識される。
【０００３】
ロードノイズを低減するには、トレッドパターンの改良、トレッドゴム厚みの増加や振動吸収性に優れる柔らかいゴムをトレッドに用いて路面入力の低減を行ったり、タイヤの振動伝達特性を変更しホイールや懸架系との共振を避けることによりロードノイズの低減を図ること行われてきた。
【０００４】
例えば、タイヤのサイド部における振動伝達特性を変更する手法としては、カーカスの折り返し構造の工夫とサイドウォール補強層を備えたタイヤ（特許文献１など）、サイドゴム表面の最大断面幅の位置よりトレッド側に、あるいはビード部側に環状の凸部ゴムを設けたタイヤ（特許文献２、３など）、バットレス部の周方向に断続して並列する凸部をタイヤ周方向に位置をずらせて交互に配したタイヤ（特許文献４）など、多数の技術が提案されている。
【特許文献１】特開２００１−７１７１５号公報
【特許文献２】特開平９−１０９６２１号公報
【特許文献３】特開平９−１０９６２２号公報
【特許文献４】特開２００１−１３０２２３号公報
【発明の開示】
【発明が解決しようとする課題】
【０００５】
しかしながら、上記のトレッドパターンの改良、トレッドゴム厚みの増加や振動吸収性に優れる柔らかいゴムをトレッドに用いトレッド構造や部材を変更するものは、操縦安定性や乗り心地性などのタイヤ走行性能への影響や耐摩耗性を犠牲にしてしまうことが多く、また、サイド部の振動伝達特性を変更する手法は、タイヤ転動時の実際の振動伝達特性が路面に応じて変化し充分なロードノイズ低減の効果が得られない場合があった。
【０００６】
そこで本発明の目的は、操縦安定性や乗り心地性などのタイヤ走行性能、耐摩耗性などを損なうことなくロードノイズを効果的に低減することができる空気入りタイヤを提供するものである。
【課題を解決するための手段】
【０００７】
本発明者は、上記課題を解決するため鋭意検討を行ったところ、振動の伝達経路であるサイドウォール部、特に振動の腹となる位置にタイヤ径方向の振動入力を緩和、吸収することができる円環状プレート材からなる積層構造を配置することで、タイヤの諸性能を維持しながらロードノイズが低減できることを見出したものである。
【０００８】
すなわち本発明の空気入りタイヤは、１対のビードコアを備えたビード部と、前記ビード部から各々タイヤ径方向外側に延びるサイドウォール部と、前記サイドウォール部間に設けたトレッド部とを有し、少なくとも１層のカーカスプライを前記１対のビードコア及びビードフィラーの周りをタイヤ内側からタイヤ外側に折り返し係止したカーカスと、該カーカスのトレッド部における外周側に少なくとも２層のベルトプライからなるベルトを配置した空気入りタイヤにおいて、前記ビードフィラーの配置領域内で、タイヤ最大幅位置とリムフランジ接触位置の間における前記カーカスのタイヤ径方向外側のビード部に、複数の円環状プレート材とゴム材とを交互に配して積層した積層構造部材を埋設したことを特徴とする。
【０００９】
本発明の空気入りタイヤは、さらに、前記ベルトの両端部外側とタイヤ最大幅位置の間で、前記カーカスのタイヤ径方向外側のバットレス部にも、複数の円環状プレート材とゴム材とを交互に配して積層した積層構造部材を埋設することができる。
【００１０】
本発明において、前記プレート材の縦弾性係数が１０〜２５，０００ｋｇｆ／ｍｍ２の範囲にあることが好ましい。
【００１１】
また、前記プレート材のタイヤ径方向の配置角度が、該タイヤ回転軸から接地面に下ろした鉛直線に対して０±２０°の範囲にあると効果的である。
【００１２】
さらに、本発明の空気入りタイヤは、前記カーカスの少なくとも１枚のカーカスプライが前記積層構造部材の位置において該タイヤ周上で分断され、該カーカスプライ分断端部がタイヤ周上で前記円環状プレート材間の間隙に挟持されているものとすることができる。
【発明の効果】
【００１３】
本発明の空気入りタイヤによれば、ビード部に埋設された積層構造からなる積層構造部材が該プレート材間でタイヤ縦方向に変形し、路面の凹凸からタイヤに入力する振動を緩和、吸収することで振動伝達特性を改善しロードノイズを効果的に低減することができる。さらに、バットレス部にも積層構造部材を配置することで、ロードノイズ低減の効果を高めることが可能になる。
【発明を実施するための最良の形態】
【００１４】
以下、本発明の実施の形態について、図面を参照しながら説明する。図１は、本発明の１実施形態である乗用車用の空気入りタイヤ（以下、空気入りタイヤを単に「タイヤ」ということがある）１を示す半断面図である。図２は図１におけるタイヤ１のビード部、図３はバットレス部を拡大した一部断面図である。
【００１５】
空気入りタイヤ１は、リム組される１対のビード部４と、前記ビード部４から各々タイヤ径方向外側に延びるサイドウォール部３と、前記サイドウォール部３、３間に設けた路面に接地するトレッド部２とから構成される。タイヤ１の基本構造は、図７に示す従来の一般構造を有するタイヤ４０と同一である。
【００１６】
図１に示すようにタイヤ１は、タイヤ赤道線ＣＬに対して略９０°の角度で延びるポリエステル、レーヨンなどの有機繊維コードからなる２層のカーカスプライ６１、６２を、一対のビード部４に夫々埋設されたビードコア５及びビードフィラー９の周りにタイヤ内側から外側に折り返してビードフィラー９を挟み係止されたカーカス６と、前記トレッド部２の内側に赤道線ＣＬに対して１５〜３５°の角度で傾斜して延びるスチールコード、アラミド繊維などを用いた少なくとも２層の交差ベルトプライからなるベルト７と、さらにベルト７の外周にはタイヤ周方向に対しほぼ０°の角度でらせん状に巻回されたナイロンなどの有機繊維コードからなるキャッププライ８を有するラジアル構造の乗用車用タイヤであり、トレッド部２には、タイヤの要求性能や使用条件に応じてトレッド面にリブ、ブロック等の各種トレッドパターンが形成されている。
【００１７】
タイヤ１には、タイヤ両側のビードフィラー９の配置領域内で、タイヤ最大幅位置Ｗとリムフランジ接触位置Ｒの間における前記カーカス６のタイヤ径方向外側のビード部４に、複数（図では３枚）の円環状プレート材１１とゴム材とを交互に配して積層した積層構造部材１０が埋設されている。
【００１８】
積層構造部材１０は、図３のプレート材１１の正面図及び側面図に示すように、円環状に周方向に連続する断面板状をなすプレート材１１を、その複数枚を該プレート材１１とゴム材とを交互に配して積層した積層構造体である。
【００１９】
前記プレート材１１の寸法、プレート材１１相互間のゴム厚み、積層枚数等は、特に制限されることはなく、タイヤサイズ、バットレス部の断面形状、そのゴム厚み等により適宜決めることができる。
【００２０】
例えば、乗用車用タイヤの場合、プレート材１１の厚みＷは、０．１〜２．０ｍｍ、好ましくは０．２〜１．５ｍｍの範囲が例示される。厚みＷが薄すぎるとプレート材が柔軟となり必要な縦剛性、横剛性が得られず、厚くなりすぎると縦、横方向共に高剛性となって操縦安定性、乗り心地性の確保が困難となり、また隣接ゴム材との剛性差により動的接着性が低下するようになる。また、プレート幅Ｈと外径Ｄはタイヤサイズ、要求特性等により適宜決められるが、例えば、プレート厚みＷと幅Ｈの比は、Ｈ／Ｗ＝５〜３０程度であり、Ｈ／Ｗ＝８〜２０の範囲がより好ましい。積層枚数の上限は特に制限されないが、乗用車用タイヤの場合は１０枚程度である。
【００２１】
上記プレート材１１は、図５に示すように、ビード部４の断面形状に合わせて、外径Ｄ及び内径ｄを漸次減径した複数本（図では４本の１１ａ〜１１ｄの場合を示す）をそれぞれの相互間に間隙Ｓ１、Ｓ２、Ｓ３を空けて階段状に平行に積層されている。加硫後タイヤでは、この間隙Ｓにはそれぞれゴム材が充填され複数のプレート材１１を互いに接着し積層構造部材１０を形成するとともにビード部４のゴム中に積層構造部材１０を埋設し固定される。この間隙Ｓ１、Ｓ２、Ｓ３の距離は、特に限定されないが、例えば、０．２〜３．０ｍｍ程度、好ましくは０．２〜２．０ｍｍである。間隙Ｓの距離が狭いと隣接するプレート材間での変位が充分得られず、特に積層構造部材１０の縦方向での変形量が小さくなり振動の緩和、吸収が困難になる。また、間隙Ｓが広くなると、プレート材１１間の変位が大きくなり、特に斜め入力時に変位にバラツキを生じやすくなり操縦安定性を低下させるおそれがあり、さらにビード部４が動きやすくし発熱によるビード部耐久性を低下させるおそれがある。間隙Ｓ１、Ｓ２の各距離は、等間隔でもよいし、異なっていてもよい。
【００２２】
積層構造部材１０は、タイヤ成型時にバットレス部４に複数のプレート材１１とシート状ゴム材を交互に配して積層し成形することができる。
【００２３】
また、積層構造部材１０は、複数の円環状プレート材１１と複数のシート状ゴム材とを交互に積層してなる成形体を予め形成し、タイヤ成型時にこの成形体をビード部４に配設することもできる。
【００２４】
この積層構造部材１０は、タイヤ１に路面の凹凸からの振動がタイヤ縦方向に入力されると、積層されたプレート材１１がそれぞれ縦方向に段階的に変位することで、横方向の変形を生じることなく縦方向の振動のみを緩和、吸収し、振動の伝達特性を改善しロードノイズを低減させることができる。
【００２５】
また、タイヤ１には、ベルト７両側のベルト端部７ａから外れたタイヤ軸方向外側とタイヤ最大幅部Ｗの間に位置するバットレス部Ｂで、前記カーカス６のタイヤ径方向外側のバットレス部Ｂに、前記ビード部４に埋設したものと同様の複数の円環状プレート材２１を積層した積層構造部材２０が埋設されている。
【００２６】
積層構造部材２０の構成、及びプレート材２１の形状等は図４、図５に示すものと同様であるので、ここではその説明を省略する。
【００２７】
積層構造部材２０は、タイヤ成型時にバットレス部Ｂに複数のプレート材２１とシート状ゴム材を交互に配して積層し成形することができる。
【００２８】
また、積層構造部材２０は、複数の円環状プレート材２１と複数のシート状ゴム材とを交互に積層してなる成形体を予め形成し、タイヤ成型時にこの成形体をバットレス部Ｂに配設することもできる。
【００２９】
この積層構造部材２０も、前記ビード部４に埋設された積層構造部材１０と同様に、タイヤ１に路面の凹凸からの振動がタイヤ縦方向に入力されると、積層されたプレート材２１がそれぞれ縦方向に段階的に変位することで、横方向の変形を生じることなく縦方向の振動のみを緩和、吸収し、振動の伝達特性を改善し、積層構造部材１０との相乗効果を奏してロードノイズの低減をより効果的に発揮することができる。
【００３０】
タイヤの振動モードは、ベルト端部、サイド部の最大幅位置とビード固定部が節となり、バットレス部とビード部の径方向外側部分が腹を持つモードであることが知られている。そこで本発明は、ビード部の径方向外側部分の振動モードの振幅を抑制ないし調整すればタイヤの振動伝達特性が低減できることから、ビード部の径方向に変形し振動を緩和、吸収する特定の積層構造部材を配置したもので、さらにバットレス部にも同様の構造部材を配することでその効果を向上することができる。
【００３１】
このようにして、ロードノイズを低減させることができるというのは、振動モード自体を変更したことによるが、定性的には振動の腹を持つ部分の振幅を小さくし、さらにその固有振動数を下げることにより、全体のエネルギーレベルを下げることができたためと説明できる。
【００３２】
さらに、この積層構造部材２０は、タイヤ１に縦方向、横方向あるいは両方向同時の外力が入力されると、積層されたプレート材２１が縦、横方向共に段階的に変位することで、タイヤの縦方向及び横方向の剛性をそれぞれ独立して制御することができる。特に、縦方向の入力に対する変位を生じやすくすることで、タイヤの縦方向の撓み（入力）に対しては柔であり、横方向の撓み（入力）に対しては剛であることで、タイヤの操縦安定性と乗り心地性を両立させる効果もある。
【００３３】
前記プレート材１１、２１としては、その材質は特に制限されないが、その材料の縦弾性係数（ヤング率）が１０〜２５，０００ｋｇｆ／ｍｍ２の範囲にあるものが好ましく、特に１，０００〜２５，０００ｋｇｆ／ｍｍ２の範囲にあるものが好ましい。
【００３４】
上記ヤング率の範囲にあるプレート材１１、２１の材料としては、例えば、炭素鋼、ステンレス鋼、モリブデン、ニッケル、クロムなどの合金鋼、軟鉄、アルミニウム、アルミニウム合金、銅、鉛等の金属が挙げられる。
【００３５】
また、樹脂として、ポリアミド系樹脂（ナイロン６、ナイロン６６等）、ポリエステル系樹脂（ＰＥＴ、ＰＢＮ，ＰＥＮ等）、ポリニトリル系樹脂（ＰＡＮ、ＡＳ等）、ポリ（メタ）アクリレート系樹脂（ＰＭＭＡ、ＥＥＡ等）、ポリビニル系樹脂（ＥＶＡ、ＰＶＡ、ＰＶＣ等）、セルロース系樹脂（酢酸セルロース等）、フッ素系樹脂（ポリフッ化ビニリデン、ポリフッ化ビニル等）の熱可塑性樹脂、また、スチレン系、オレフィン系、ポリエステル系、ウレタン系、ポリアミド系等の熱可塑性エラストマーが挙げられ、これらの複数樹脂のブレンド材でもよい。
【００３６】
また、尿素系樹脂、エポキシ系樹脂、フェノール系樹脂等の熱硬化性樹脂を使用することもできる。
【００３７】
さらに、樹脂類としては、ステンレス等の金属フィラメントやナイロン、ＰＥＴ、ガラス繊維、炭素繊維等の有機、無機繊維で強化された強化プラスチック（ＭＲＰ、ＦＲＰ）でもよい。
【００３８】
積層構造部材１０、２０は、上記の２種以上の材質からなるプレート材を組み合わせて形成してもよい。
【００３９】
なお、プレート材１１、２１の表面は、ゴムとの接着性を向上する目的で、研磨やブラスト法による物理的表面処理、各種ゴム糊やレゾルシン−ホルムアルデヒド−ラテックス液等の接着剤の塗布、真鍮や亜鉛等の金属めっき処理を施すことが好ましい。
【００４０】
ここで、プレート材１１、２１とその間隙Ｓ内に配されるゴム材料とは、両者のヤング率との差が大きい程好ましい。これにより、タイヤ１にかかる入力に対して各プレート材１１、２１が積層構造部材１０、２０の層間で変位しやすくなり、その結果積層構造部材１０、２０がタイヤ径方向に撓みやすくなりロードノイズの向上が得られやすくなる。タイヤ用の加硫ゴム材料のヤング率は一般的に０．１〜０．５ｋｇｆ／ｍｍ２の範囲にあるので、この観点からプレート材１１、２１のヤング率は上記１，０００ｋｇｆ／ｍｍ２以上にあることが好ましい。ヤング率が１０ｋｇｆ／ｍｍ２未満の場合、バットレス部１０のゴムの動きと同化して積層構造部材１１が動くようになり本発明の効果が充分得られなくなる。
【００４１】
また、前記積層構造部材１０、２０における円環状プレート材１１、２１のタイヤ径方向の配置角度は、ＪＩＳ規定の標準リムを使用し、規定内圧、最大荷重付加時に、タイヤ回転軸から接地面に下ろした鉛直線に対して０±２０°の範囲に配置されていることが好ましい。
【００４２】
前記プレート材１１、２１の配置角度が前記鉛直線に対して±２０°の範囲を外れると、タイヤ１への振動入力が積層構造部材１０、２０に対して傾斜してかかるようになり、積層構造部材１０、２０への入力バランスが崩れてしまい、振動伝達特性を悪化させロードノイズを逆に増加させるおそれがある。さらに、ビード部４やバットレス部Ｂの縦方向と横方向の剛性バランスが崩れ操縦安定性や乗り心地性を低下させる可能性もある。
【００４３】
ただし、バットレス部Ｂに配されるプレート材２１の配置角度は、傾斜角度が大きくなると積層構造部材２０の縦方向入力に対する減衰性能が低下し、タイヤ１の縦剛性及び横剛性のバランスが得難くなる傾向にあるので、０±１０°の範囲内とすることがより好ましい。
【００４４】
また、本発明では、図６に示すタイヤ３０のように、カーカス６の少なくとも１枚のカーカスプライがバットレス部Ｂの積層構造部材２０の位置でタイヤ周上で分断され、そのカーカスプライ分断端部がタイヤ周上で積層構造部材２０の円環状プレート材２１間の間隙Ｓに挟持されているものでもよい。
【００４５】
タイヤ３０は、カーカス６が２プライ構造のタイヤであり、カーカスプライの内で２ｎｄプライ６２がタイヤ両サイドにおいて積層構造部材２０の位置でタイヤ周上で分断され、そのトレッド２側のプライ分断端部６２ａがプレート材２１ｂと２１ｃの間にタイヤ周上で挟持され、サイドウォール部３側のプライ分断端部６２ｂがプレート材２１ｃと２１ｄの間に挟持され、プレート材１２ｃを介してカーカス６の２ｎｄプライ６２を一体に形成している。また、図の例では、１ｓｔプライ６１は分断されずに連続してカーカスを形成しているが、１ｓｔプライ６１も２ｎｄプライと同様に分断構造にすることができる。
【００４６】
このようにカーカスプライが積層構造部材１１の部位で分断されることで、バットレス部Ｂの縦方向の変形量を大きくすることで振動の緩和、吸収を向上し、さらに乗り心地性をより改善することも可能となる。
【実施例】
【００４７】
以下に、本発明を実施例に基づき具体的に説明するが、本発明はこの実施例により限定されるものではない。
【００４８】
タイヤサイズを２１５／６０Ｒ１６（主溝４本のリブパターン）とし、厚み０．５ｍｍのプレート材３枚の間に厚み０．５ｍｍのゴム材を交互に配して積層構造を形成した積層構造部材をビード部に埋設した実施例１〜３、７のタイヤ、積層構造部材をビード部とバットレス部（プレート材４枚の積層構造）に埋設した実施例４〜６のタイヤを試作した。各実施例に使用したプレート材は表１に示す。プレート材としては、炭素０．３３％含有炭素鋼板（ヤング率２１０，０００ｋｇｆ／ｍｍ２）、アルミニウム合金（ヤング率１，１００ｋｇｆ／ｍｍ２）及びナイロン６樹脂（ヤング率１１０ｋｇｆ／ｍｍ２）プレートを表１に記載の組み合わせで使用した。実施例７，比較例２のタイヤは、ビード部に埋設した積層構造部材のプレート材配置角度を該部材の上部がタイヤ軸方向内側（カーカス６側）に１５°又は２３°の傾斜角度で配置した。比較例１のタイヤは図７に示す従来構造のタイヤである。各試作タイヤについて、下記条件で振動伝達特性を測定した。
【００４９】
使用リム１６×６．５ＪＪ、空気圧２００ｋＰａ、縦荷重４８０ｋｇｆの条件にて、トレッド中心にタイヤ径方向に振動入力を付与し、タイヤサイド部における振動伝達特性として、周波数０〜５００Ｈｚでの応答レベルの和（ｄＢ）を測定し、比較例１のタイヤを基準として、その差で表１に示した。
【００５０】
図８に、実施例１、２、４及び比較例の周波数０〜５００Ｈｚにおけるタイヤサイド最大幅部での振動伝達特性（周波数応答レベル（ｄＢ）の波形）を例示する。実施例１は一点鎖線、実施例２は細実線、実施例４は太実線、比較例１は破線で示した。
【００５１】
なお、各タイヤのカーカスはポリエステルコード１１００ｄｔｅｘ／２（打ち込み密度２３本／２５ｍｍ）の２プライ、ベルトはスチールコード２＋２×０．２５ｍｍ（打ち込み密度２５本／２５ｍｍ）の２プライ、キャッププライはナイロン６６コード９４０ｄｔｅｘ／２（打ち込み密度２１本／２５ｍｍ）の１プライとし、実施例と比較例で同一とした。
【００５２】
【表１】
2008201323.tif 000003
【００５３】
表１に示されるように、比較例１のタイヤに対して、各実施例タイヤは周波数０〜５００Ｈｚにおける応答レベルの和が小さく、タイヤサイド部における振動伝達が小さくなりロードノイズの低減に効果があることがわかる。
【産業上の利用可能性】
【００５４】
本発明は、乗用車用を始めとして、ライトトラック、バスやトラック用の大型タイヤなど各種サイズ、用途の空気入りタイヤに適用することができる。
【図面の簡単な説明】
【００５５】
【図１】実施形態の空気入りタイヤの半断面図である。
【図２】同上タイヤのビード部の拡大断面図である。
【図３】同上タイヤのバットレス部の拡大断面図である。
【図４】プレート材の正面図及び側面図である。
【図５】積層構造部材の側面図である。
【図６】他の実施形態のタイヤのバットレス部の拡大断面図である。
【図７】従来例の空気入りタイヤの半断面図である。
【図８】タイヤの振動伝達特性を例示するグラフ図である。
【符号の説明】
【００５６】
１……空気入りタイヤ
２……トレッド部
３……サイドウォール部
４……ビード部
５……ビードコア
６……カーカス
７……ベルト
１０……積層構造部材
１１……プレート材
Ｒ……リムフランジ接触位置
Ｗ……タイヤ最大幅部
【図１】
2008201323.tif 000004
【図２】
2008201323.tif 000005
【図３】
2008201323.tif 000006
【図４】
2008201323.tif 000007
【図５】
2008201323.tif 000008
【図６】
2008201323.tif 000009
【図７】
2008201323.tif 000010
【図８】
2008201323.tif 000011